(57)【特許請求の範囲】
【請求項１】
識別番号が付与された複数の画像情報の中から２つ以上の前記画像情報を選択し、表示装置にプレビュー表示させる画像表示制御装置であって、
固定長であるバー部、及び、該バー部の延在方向に沿って移動自在なスライダを有するトラックバーの表示用データを作成するトラックバー作成部と、
前記バー部の全体位置に前記識別番号の全範囲を対応付けた標準スケールに従って前記識別番号をそれぞれ割り当てる識別番号割当部と、
前記トラックバー作成部により作成された前記表示用データに基づき表示される前記トラックバーの前記スライダの指示位置から、前記識別番号割当部により割り当てられた前記識別番号の選択範囲を決定する選択範囲決定部と
を備え、
前記識別番号割当部は、前記スライダの周辺位置で、前記標準スケールよりも大きい拡大スケールに従って前記識別番号をそれぞれ割り当て、
前記トラックバー作成部は、前記周辺位置での表示形態を前記トラックバーにおける前記周辺位置以外の残余の位置での表示形態と異ならせた前記表示用データを作成する
ことを特徴とする画像表示制御装置。
【請求項２】
請求項１記載の装置において、
前記識別番号割当部は、特定の入力操作を受け付けた時点にて前記周辺位置を定め、該周辺位置で、前記拡大スケールに従って前記識別番号をそれぞれ割り当てることを特徴とする画像表示制御装置。
【請求項３】
請求項２記載の装置において、
前記識別番号割当部は、前記スライダを前記周辺位置から離した場合、前記標準スケールに従って前記識別番号をそれぞれ割り当てることを特徴とする画像表示制御装置。
【請求項４】
請求項１〜３のいずれか１項に記載の装置において、
前記トラックバー作成部は、前記画像情報の表示可能数に応じて前記スライダの幅を変化させた前記表示用データを作成することを特徴とする画像表示制御装置。
【請求項５】
識別番号が付与された複数の画像情報の中から２つ以上の前記画像情報を選択し、表示装置にプレビュー表示させる方法であって、
固定長であるバー部、及び、該バー部の延在方向に沿って移動自在なスライダを有するトラックバーの表示用データを作成する作成ステップと、
前記バー部の全体位置に前記識別番号の全範囲を対応付けた標準スケールに従って前記識別番号をそれぞれ割り当てる割当ステップと、
作成された前記表示用データに基づき表示される前記トラックバーの前記スライダの指示位置から、割り当てられた前記識別番号の選択範囲を決定する決定ステップと
をコンピュータに実行させ、
前記割当ステップでは、前記スライダの周辺位置で、前記標準スケールよりも大きい拡大スケールに従って前記識別番号をそれぞれ割り当て、
前記作成ステップでは、前記周辺位置での表示形態を前記トラックバーにおける前記周辺位置以外の残余の位置での表示形態と異ならせた前記表示用データを作成する
ことを特徴とする画像表示制御方法。
【請求項６】
識別番号が付与された複数の画像情報の中から２つ以上の前記画像情報を選択し、表示装置にプレビュー表示させるためのプログラムであって、
固定長であるバー部、及び、該バー部の延在方向に沿って移動自在なスライダを有するトラックバーの表示用データを作成する作成ステップと、
前記バー部の全体位置に前記識別番号の全範囲を対応付けた標準スケールに従って前記識別番号をそれぞれ割り当てる割当ステップと、
作成された前記表示用データに基づき表示される前記トラックバーの前記スライダの指示位置から、割り当てられた前記識別番号の選択範囲を決定する決定ステップと
をコンピュータに実行させ、
前記割当ステップでは、前記スライダの周辺位置で、前記標準スケールよりも大きい拡大スケールに従って前記識別番号をそれぞれ割り当て、
前記作成ステップでは、前記周辺位置での表示形態を前記トラックバーにおける前記周辺位置以外の残余の位置での表示形態と異ならせた前記表示用データを作成する
ことを特徴とする画像表示制御プログラム。
【請求項７】
請求項１〜４のいずれか１項に記載の画像表示制御装置と、
複数の画像情報を記憶可能なストレージ装置と、
前記ストレージ装置により記憶された前記複数の画像情報の中から、前記画像表示制御装置により選択された２つ以上の画像情報をプレビュー表示する表示装置と
を備えることを特徴とする画像表示システム。
【発明の詳細な説明】
【技術分野】
【０００１】
この発明は、識別番号が付与された複数の画像情報の中から２つ以上の画像情報を選択し、表示装置にプレビュー表示させる画像表示制御装置、方法、プログラム及び画像表示システムに関する。
【背景技術】
【０００２】
従来から、予め記憶された複数の画像情報のうち必要な画像情報を選択し、その内容をプレビュー表示させる技術が種々提案されている。
【０００３】
特許文献１では、ガイドスケール画像上での指示操作に追従して、仕上がり画像の表示対象ページを変更させる手法が提案されている。また、ガイドスケール画像の目盛は、内側から外側に行くに従って指数関数的に狭くなるように配置してもよい旨が記載されている。
【０００４】
特許文献２では、複数のマーカの集合体であるバーコントロールを介して、電子文書及びそのページを選択する手法が提案されている。また、指示されたマーカの幅を相対的に大きくする旨が記載されている。
【先行技術文献】
【特許文献】
【０００５】
【特許文献１】特開２００７−１１０６７７号公報（段落［００１９］、［００２０］、図６等）
【特許文献２】米国特許第７１００１１９号明細書（図５、図６ｂ等）
【発明の概要】
【発明が解決しようとする課題】
【０００６】
ところで、探索対象である画像情報が膨大な数になると、それだけ所望の画像情報を選択するための時間が増加する。しかし、特許文献１及び２で提案された手法では、画像情報の全体数を把握しつつ、現在の探索位置を細かく調整するのが困難であった。その結果、所望の画像情報を発見して選択するまでに多大な時間が掛かるという問題があった。
【０００７】
本発明は、上記した課題を解決するためになされたものであり、探索対象である画像情報が膨大な数であっても、多大な時間を費やすことなく所望の画像情報を効率よく選択可能な画像表示制御装置、方法、プログラム及び画像表示システムを提供することを目的とする。
【課題を解決するための手段】
【０００８】
本発明に係る画像表示制御装置は、識別番号が付与された複数の画像情報の中から２つ以上の上記画像情報を選択し、表示装置にプレビュー表示させる装置であって、固定長であるバー部、及び、該バー部の延在方向に沿って移動自在なスライダを有するトラックバーの表示用データを作成するトラックバー作成部と、上記バー部の全体位置に上記識別番号の全範囲を対応付けた標準スケールに従って上記識別番号をそれぞれ割り当てる識別番号割当部と、上記トラックバー作成部により作成された上記表示用データに基づき表示される上記トラックバーの上記スライダの指示位置から、上記識別番号割当部により割り当てられた上記識別番号の選択範囲を決定する選択範囲決定部とを備え、上記識別番号割当部は、上記スライダの周辺位置で、上記標準スケールよりも大きい拡大スケールに従って上記識別番号をそれぞれ割り当てる。
【０００９】
このように、トラックバーが有するバー部の全体位置に識別番号の全範囲を対応付けた標準スケール、スライダの周辺位置ではこの標準スケールよりも大きい拡大スケールに従って識別番号をそれぞれ割り当てるようにしたので、標準スケール領域にて画像情報の全体数を把握しつつ、拡大スケール領域にて現在の探索位置を細かく調整可能である。これにより、探索対象である画像情報が膨大な数であっても、多大な時間を費やすことなく所望の画像情報を効率よく選択できる。
【００１０】
また、上記識別番号割当部は、特定の入力操作を受け付けた時点にて上記周辺位置を定め、該周辺位置で、上記拡大スケールに従って上記識別番号をそれぞれ割り当てることが好ましい。
【００１１】
また、上記識別番号割当部は、上記スライダを上記周辺位置から離した場合、上記標準スケールに従って上記識別番号をそれぞれ割り当てることが好ましい。
【００１２】
また、上記トラックバー作成部は、上記画像情報の表示可能数に応じて上記スライダの幅を変化させた上記表示用データを作成することが好ましい。
【００１３】
また、上記トラックバー作成部は、上記周辺位置での表示形態を残余の位置での表示形態と異ならせた上記トラックバーを作成することが好ましい。
【００１４】
本発明に係る画像表示制御方法は、識別番号が付与された複数の画像情報の中から２つ以上の上記画像情報を選択し、表示装置にプレビュー表示させる方法であって、固定長であるバー部、及び、該バー部の延在方向に沿って移動自在なスライダを有するトラックバーの表示用データを作成する作成ステップと、上記バー部の全体位置に上記識別番号の全範囲を対応付けた標準スケールに従って上記識別番号をそれぞれ割り当てる割当ステップと、作成された上記表示用データに基づき表示される上記トラックバーの上記スライダの指示位置から、割り当てられた上記識別番号の選択範囲を決定する決定ステップとをコンピュータに実行させ、上記割当ステップでは、上記スライダの周辺位置で、上記標準スケールよりも大きい拡大スケールに従って上記識別番号をそれぞれ割り当てる。
【００１５】
本発明に係る画像表示制御プログラムは、識別番号が付与された複数の画像情報の中から２つ以上の上記画像情報を選択し、表示装置にプレビュー表示させるためのプログラムであって、固定長であるバー部、及び、該バー部の延在方向に沿って移動自在なスライダを有するトラックバーの表示用データを作成する作成ステップと、上記バー部の全体位置に上記識別番号の全範囲を対応付けた標準スケールに従って上記識別番号をそれぞれ割り当てる割当ステップと、作成された上記表示用データに基づき表示される上記トラックバーの上記スライダの指示位置から、割り当てられた上記識別番号の選択範囲を決定する決定ステップとをコンピュータに実行させ、上記割当ステップでは、上記スライダの周辺位置で、上記標準スケールよりも大きい拡大スケールに従って上記識別番号をそれぞれ割り当てる。
【００１６】
本発明に係る画像表示システムは、上記したいずれかの画像表示制御装置と、複数の画像情報を記憶可能なストレージ装置と、上記ストレージ装置により記憶された上記複数の画像情報の中から、上記画像表示制御装置により選択された２つ以上の画像情報をプレビュー表示する表示装置とを備える。
【発明の効果】
【００１７】
本発明に係る画像表示制御装置、方法、プログラム及び画像表示システムによれば、トラックバーが有するバー部の全体位置に識別番号の全範囲を対応付けた標準スケール、スライダの周辺位置ではこの標準スケールよりも大きい拡大スケールに従って識別番号をそれぞれ割り当てるようにしたので、標準スケール領域にて画像情報の全体数を把握しつつ、拡大スケール領域にて現在の探索位置を細かく調整可能である。これにより、探索対象である画像情報が膨大な数であっても、多大な時間を費やすことなく所望の画像情報を効率よく選択できる。
【図面の簡単な説明】
【００１８】
【図１】この実施形態に係る画像表示システムを組み込んだ印刷物生産システムの全体構成図である。
【図２】図２は、図１に示す作業端末の電気的なブロック図である。
【図３】図１に示す画像表示システムの動作説明に供されるフローチャートである。
【図４】図４Ａは、識別番号の付与方法に関する概略説明図である。図４Ｂは、標準スケールに従って識別番号を割り当てる方法に関する概略説明図である。
【図５】画像情報のプレビュー画面を示す第１の画像図である。
【図６】画像情報のプレビュー画面を示す第２の画像図である。
【図７】図７Ａ及び図７Ｂは、図６の選択画面を示す画像図である。
【図８】図８Ａ〜図８Ｃは、特定の入力操作が実行された場合における、選択画面の時間変化を表す画像図である。
【図９】図８Ａ〜図８Ｃの表示形態におけるスケールの決定結果を示す模式図である。
【発明を実施するための形態】
【００１９】
以下、本発明に係る画像表示制御方法について、それを実施する画像表示制御装置、画像表示制御プログラム、及び画像表示システムとの関係において好適な実施形態を挙げ、添付の図面を参照しながら詳細に説明する。
【００２０】
［印刷物生産システム１０の全体構成図］
図１は、この実施形態に係る画像表示システム３８を組み込んだ印刷物生産システム１０の全体構成図である。
【００２１】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したコンテンツデータに対して各種情報処理を実行する作業端末１８（画像表示制御装置）と、印刷処理機能を有するプリントサーバ２０と、プリントサーバ２０からの出力用データに基づいて印刷物２２を形成可能である印刷装置２４とが設けられている。
【００２２】
サーバ装置１６は、印刷物生産システム１０におけるワークフロー管理の中核をなす装置である。サーバ装置１６は、印刷物生産システム１０内に構築されたＬＡＮ（Local Area Network）２６を介して、作業端末１８及びプリントサーバ２０に通信可能に接続されている。また、サーバ装置１６は、ルータ１４及びネットワーク１２を介して、デザイナ又は制作会社が備える各端末装置（図示しない）に通信可能に接続されてもよい。
【００２３】
また、サーバ装置１６には、ワークフローに関わる各種データを記憶可能なストレージ装置２８が接続されている。ストレージ装置２８には、例えば、コンテンツデータ、出力用データ（例えば、製版用データ、刷版用データ、又は校正用データ）、ジョブチケット｛例えば、ＪＤＦ（Job Definition Format）ファイル｝、カラープロファイル、色見本データ等が記憶されている。
【００２４】
本図例では、ストレージ装置２８内には、画像情報に関するデータベース（以下、画像情報ＤＢ３０）が構築されている。画像情報ＤＢ３０は、例えば、印刷ジョブ、文書、ページ又はコンテンツを単位とする画像情報の集合体である。
【００２５】
作業端末１８は、文字、図形、絵柄、写真等から構成されるコンテンツデータに対してプリフライト処理を施した後、ページ単位のデータ（ページデータ）を作成可能な装置である。また、作業端末１８は、ジョブチケットのタグ情報を参照しながら、指定された綴じ方法や紙折り方法に応じた面付け処理を実行する。
【００２６】
また、作業端末１８には、各種作業のための任意の画像を表示可能な表示装置３２が接続されている。表示装置３２の表示方式は、液晶、有機ＥＬ（electro-luminescence）、陰極線管（ＣＲＴ）のみならず、画像をスクリーンに投影するプロジェクタであってもよい。
【００２７】
プリントサーバ２０は、面付け処理がなされた製版データ等に対してＲＩＰ（Raster Image Processing）処理を施すと共に、得られた出力用データを印刷装置２４側に供給する。
【００２８】
印刷装置２４は、プリントサーバ２０から供給された出力用データに基づき、印刷媒体３４上に画像が形成された印刷物２２を出力する。印刷媒体３４の種類として、合成紙・厚紙・アルミ蒸着紙等の紙類のみならず、塩化ビニル・ＰＥＴ（ポリエチレンテレフタラート）等の樹脂、ターポリン、金属シート等が存在する。
【００２９】
印刷装置２４が校正機である場合、ＤＤＣＰ（Direct Digital Color Proofing）、インクジェットカラープルーファ、低解像度のカラーレーザプリンタ（電子写真方式）又はインクジェットプリンタ等を用いてもよい。
【００３０】
印刷装置２４が凸版印刷機である場合、刷版３６及び図示しない中間転写体を介してインキを付着させることで、印刷媒体３４上に画像が形成された印刷物２２を出力する。
【００３１】
印刷装置２４がデジタル印刷機の場合、刷版３６を生成することなく直接的に印刷物２２を出力可能である。デジタル印刷機としては、インクジェット印刷機、ワイドフォーマット印刷機、インクジェットカラープルーファ、カラーレーザプリンタ等を用いてもよい。
【００３２】
ここで、サーバ装置１６、作業端末１８、ストレージ装置２８及び表示装置３２は、画像情報ＤＢ３０の中から２つ以上の画像情報６０（図２）を選択し、プレビュー表示するための画像表示システム３８を構成する。
【００３３】
［作業端末１８の電気的なブロック図］
図２は、図１に示す作業端末１８の電気的なブロック図である。作業端末１８は、基本的には、制御部５０と、通信Ｉ／Ｆ５２と、入力部５４と、表示Ｉ／Ｆ５６と、メモリ５８（記憶媒体）を備えるコンピュータである。
【００３４】
通信Ｉ／Ｆ５２は、外部装置からの電気信号を送受信するインターフェースである。これにより、作業端末１８は、各種データ（例えば、複数の画像情報６０）をサーバ装置１６（図１）から取得可能である。
【００３５】
入力部５４は、マウス、トラックボール、キーボード、タッチパネル等の種々の入力デバイスで構成される。表示Ｉ／Ｆ５６は、表示装置３２に対して表示制御信号を出力するためのインターフェースである。これにより、表示装置３２は、ウィンドウＷ１（図５等）、Ｗ２（図６等）を含む各種画像を表示することができる。
【００３６】
メモリ５８は、制御部５０が各構成要素を制御するのに必要なプログラム及びデータ等を記憶している。本図例では、画像情報ＤＢ３０（図１）からの複数の画像情報６０が格納されている。
【００３７】
メモリ５８は、非一過性であり、且つ、コンピュータ読み取り可能な記憶媒体で構成されてもよい。ここで、コンピュータ読み取り可能な記憶媒体は、光磁気ディスク、ＲＯＭ、ＣＤ−ＲＯＭ、フラッシュメモリ等の可搬媒体、コンピュータシステムに内蔵されるハードディスク等の記憶装置である。また、この記憶媒体は、短時間に且つ動的にプログラムを保持するものであっても、一定時間プログラムを保持するものであってもよい。
【００３８】
制御部５０は、ＣＰＵ（Central Processing Unit）等の情報処理装置（いわゆるプロセッサ）によって構成されている。制御部５０は、メモリ５８に格納されたプログラムを読み出し実行することで、プレビュー画像選択部６２及び表示用データ作成部６４を含む各機能を実現可能である。
【００３９】
プレビュー画像選択部６２は、入力部５４を介した操作に応じて、プレビュー表示に供される２つ以上の画像情報６０を選択する。具体的には、プレビュー画像選択部６２は、複数の画像情報６０に識別番号をそれぞれ付与する識別番号付与部６６、後述するスケールに従って識別番号を割り当てる識別番号割当部６８、及び、識別番号の範囲を選択する選択範囲決定部７０を備える。
【００４０】
表示用データ作成部６４は、各種画像の表示に供される表示用データを作成する。具体的には、表示用データ作成部６４は、プレビュー画面１００（図５）等を作成する画面作成部７２、及び、トラックバーコントロール（以下、単に「トラックバー」と称する）を作成するトラックバー作成部７４を備える。
【００４１】
［画像表示システム３８の動作］
この実施形態に係る画像表示システム３８は、以上のように構成される。続いて、図１に示す画像表示システム３８（特に、作業端末１８）の動作について、図３のフローチャートを主に参照しながら詳細に説明する。
【００４２】
ステップＳ１において、識別番号付与部６６は、画像情報ＤＢ３０に登録された複数の画像情報６０に対して識別番号をそれぞれ付与する。以下、「印刷ジョブ」を基本単位とする画像情報６０を例に挙げて説明する。
【００４３】
図４Ａは、識別番号の付与方法に関する概略説明図である。例えば、画像情報ＤＢ３０（図１）には、印刷ジョブ名が「ＪＯＢ０００１」〜「ＪＯＢ１００１」である１００１個の印刷ジョブが登録されているとする。
【００４４】
ここで、識別番号付与部６６は、１００１個の印刷ジョブを任意の規則に従って整列（ソート）し、識別番号を１から順次付与してもよい。ソートキーとして、例えば、印刷ジョブ名、顧客名、納期、制作物の種類、ページのレイアウト、印刷部数、印刷条件（印刷処理に直接的に関与する項目又はこのメタデータ）が挙げられる。図４Ａの例では、ソートキーとして「印刷ジョブ名」を用いると共に、昇順に整列している。その結果、印刷ジョブ「ＪＯＢ０００１」には識別番号の最小値（１）が、印刷ジョブ「ＪＯＢ１００１」には識別番号の最大値（１００１）がそれぞれ付与される。
【００４５】
ステップＳ２において、識別番号割当部６８は、ステップＳ１で付与された識別番号を所定の線形スケールに従って割り当てる。ここでは、全体位置に識別番号の全範囲を対応付けたスケール（以下、標準スケールという）を採用する。
【００４６】
図４Ｂは、標準スケールに従って識別番号を割り当てる方法に関する概略説明図である。識別番号割当部６８は、スケール上の位置を［０，１］で正規化した場合、識別番号１に位置「０」を割り当てると共に、識別番号１００１に位置「１」を割り当てる。すなわち、一般式で記述すると、識別番号ｋ（ｋ＝１〜１００１）には、位置「（ｋ−１）／１０００」が割り当てられる。
【００４７】
同様に、識別番号割当部６８は、当該位置を画像上の位置［０，Ｎｐ］（単位は、画素数）に換算した場合、識別番号１に位置「０」（画素）を割り当てると共に、識別番号１００１に位置「Ｎｐ」（画素）を割り当てる。すなわち、一般式で記述すると、識別番号ｋ（ｋ＝１〜１００１）には、位置「（ｋ−１）Ｎｐ／１０００」（画素）が割り当てられる。
【００４８】
ステップＳ３において、作業端末１８は、複数の画像情報６０を表示装置３２にプレビュー表示させる。表示を開始する旨の指示に応じて、画面作成部７２は、プレビュー画面１００（図５）の表示用データを作成した後、該表示用データを表示Ｉ／Ｆ５６に向けて出力する。これにより、表示装置３２には、プレビュー画面１００を含むウィンドウＷ１が表示される。
【００４９】
図５に示すように、プレビュー画面１００上には、画像情報６０の集合体であるプレビュー欄１０２、複数のツールアイコンで構成されたアイコン群１０４が配置されている。
【００５０】
プレビュー欄１０２内には、所定数（例えば、５０個）の画像情報６０が二次元的に配置されている。初期設定において、プレビュー表示の対象は、１から５０までの識別番号が付与された画像情報６０である。スクロールバー１０６、１０８を操作することで、現在表示されている印刷ジョブ以外（識別番号４、５、９〜５０）の画像情報６０も閲覧可能である。また、アイコン群１０４を介した操作に応じて、プレビュー欄１０２の部位（具体的には、各画像情報６０）に対して、所望の注釈情報又は校正履歴等を追加可能である。
【００５１】
ステップＳ４において、制御部５０は、ステップＳ３でのプレビュー表示を継続するか否かについて判定する。プレビュー表示を継続する場合（ステップＳ４：ＹＥＳ）、次のステップ（Ｓ５）に進む。
【００５２】
ステップＳ５において、制御部５０は、ウィンドウＷ２（図６）の呼び出し要求があったか否かを判定する。具体的には、アイコン群１０４（特定アイコン１１０）にカーソル１１２を合わせた状態下、入力部５４（図２）のクリック操作を受け付けたか否かにより判定される。要求がなかった場合（ステップＳ５：ＮＯ）、ステップＳ３に戻って、以下、制御部５０はステップＳ３〜Ｓ５の動作を順次繰り返す。一方、要求があった場合（ステップＳ５：ＹＥＳ）、次のステップ（Ｓ６）に進む。
【００５３】
ステップＳ６において、作業端末１８は、トラックバー１２２（図７Ａ；ウィンドウＷ２）を表示装置３２に表示させる。この表示に先立ち、トラックバー作成部７４は、識別番号割当部６８による割り当て結果に応じて、トラックバー１２２の表示用データを作成する。その後、画面作成部７２は、選択画面１２０（トラックバー１２２を含む）の表示用データを作成した後、該表示用データを表示Ｉ／Ｆ５６に向けて出力する。これにより、表示装置３２には、選択画面１２０を含むウィンドウＷ２が表示される。
【００５４】
図６に示すように、ウィンドウＷ２は、ウィンドウＷ１の略中央位置に重ねて表示される。ウィンドウＷ２が表示された状態では、ウィンドウＷ１の表示状態が「パッシブ」に変化する。本図例では、プレビュー欄１０２及びアイコン群１０４が暗く着色されると共に、制御部５０は、ウィンドウＷ１を介した入力操作を一時的に禁止する。
【００５５】
図７Ａ及び図７Ｂはいずれも、図６に示す選択画面１２０の画像図である。選択画面１２０上には、識別番号を選択するためのトラックバー１２２、トラックバー１２２の上方に存在する吹き出し部１２４、及び、ウィンドウＷ２を非表示にするための消去マーク１２６が配置されている。
【００５６】
トラックバー１２２は、固定長（又は可変長）であって一方向（本図例では、左右方向）に延在するバー部１２８、バー部１２８の上に設けられた矩形状のスライダ１３０、及び、バー部１２８の上方に存在する目盛数字１３２から構成される。
【００５７】
スライダ１３０は、バー部１２８の一端位置１３４から他端位置１３６までの範囲にて、左右方向に沿って移動自在に構成されている。目盛数字１３２は、略等間隔に配置された５種類の数字、詳細には、「１」、「２５０」、「５００」、「７５０」及び「１００１」からなる。
【００５８】
バー部１２８の一端位置１３４には、識別番号の最小値に対応する「１」が表記されている。また、バー部１２８の他端位置１３６には、識別番号の最大値に対応する「１００１」が表記されている。換言すれば、バー部１２８の全体は、識別番号の全範囲を線形的に割り当てる標準スケールを表現している。以下、トラックバー１２２を含む画像領域のうち、標準スケールを表現する領域を標準スケール領域１３８と称する。
【００５９】
吹き出し部１２４には、スライダ１３０の指示範囲に関する文字情報が表記されている。図７Ａ例では、指示範囲の下限値（１）及び当該下限値に対応する印刷ジョブ名「ＪＯＢ０００１」の全部、並びに、指示範囲の上限値（５０）及び当該上限値に対応する印刷ジョブ名「ＪＯＢ００５０」の一部がそれぞれ表記されている。
【００６０】
図７Ａに示すように、スライダ１３０の位置にカーソル１１２を合わせた状態下、矢印Ａ方向に沿ったドラッグ操作を実行すると、スライダ１３０及び吹き出し部１２４は、カーソル１１２に追従して矢印Ａ方向に移動される。その後、ドロップ操作を実行すると、スライダ１３０及び吹き出し部１２４の移動は停止される。
【００６１】
このとき、吹き出し部１２４の内容は、スライダ１３０の停止位置に応じて即時に変更される。図７Ｂ例では、指示範囲の下限値（２５１）及び当該下限値に対応する印刷ジョブ名「ＪＯＢ０２５１」の全部、並びに、指示範囲の上限値（３００）及び当該上限値に対応する印刷ジョブ名「ＪＯＢ０３００」の一部がそれぞれ表記されている。
【００６２】
図３のステップＳ７において、制御部５０は、特定の入力操作があったか否かを判定する。例えば、スライダ１３０の長押し操作（ロングタップ）を受け付けたか否かにより判定される。操作があった場合（ステップＳ７：ＹＥＳ）、次のステップ（Ｓ８）に進む。
【００６３】
スライダ１３０の長押し操作を実行すると、図８Ａに示すように、トラックバー１２２ａにおけるスライダ１４０の輪郭が強調表示される。その後、長押し操作を更に継続すると、トラックバー１２２ａの表示形態が変化する。
【００６４】
ステップＳ８において、識別番号割当部６８は、ステップＳ１で付与された識別番号の一部を、標準スケールと異なるスケールに従って再び割り当てる。具体的には、識別番号割当部６８は、特定の入力操作を受け付けた時点にて周辺位置１５２（図８Ｂ）を定め、この周辺位置１５２で、後述する拡大スケールに従って識別番号をそれぞれ割り当てる。その後、作業端末１８は、新たなトラックバー１２２ｂを表示装置３２に表示させる（ステップＳ６）。
【００６５】
図８Ｂに示すように、トラックバー１２２ｂは、バー部１２８、幅広のスライダ１５０、及び、スライダ１５０の周辺位置１５２（破線で囲んだ矩形領域）にて値が変化した目盛数字１５４から構成される。本図から理解されるように、周辺位置１５２（バー部１２８の一部）は、標準スケールに対して所定倍率（ここでは、２倍）に拡大されたスケール（以下、拡大スケール）を表現している。すなわち、拡大スケール領域１５６は、トラックバー１２２ｂを含む画像領域のうち、２倍の拡大スケールを表現する領域に相当する。
【００６６】
その後、スライダ１５０の長押し操作を更に実行すると、トラックバー１２２ｂの表示形態が変化する。識別番号割当部６８による再度の割り当て処理（ステップＳ８）を経て、作業端末１８は、新たなトラックバー１２２ｃを表示装置３２に表示させる（ステップＳ６）。
【００６７】
図８Ｃに示すように、トラックバー１２２ｃは、バー部１２８、更に幅広のスライダ１６０、及び、スライダ１６０の周辺位置１６２（破線で囲んだ矩形領域）にて値が変化した目盛数字１６４から構成される。本図から理解されるように、周辺位置１６２（バー部１２８の一部）は、標準スケールに対して４倍である拡大スケールを表現している。すなわち、拡大スケール領域１６６は、トラックバー１２２ｃを含む画像領域のうち、４倍の拡大スケールを表現する領域に相当する。
【００６８】
図９は、図８Ａ〜図８Ｃの表示形態におけるスケールの決定結果を示す模式図である。
【００６９】
バーグラフ１７１は、図８Ａの表示形態におけるスケールを示す。このグラフが示す全範囲、すなわち識別番号が１〜１００１の全範囲にて標準スケール（塗り潰しがないエリア）である。
【００７０】
バーグラフ１７２は、図８Ｂの表示形態におけるスケールを示す。このグラフが示す全範囲のうち、識別番号が１〜１７５、３７６〜１００１の範囲にて標準スケールである。また、拡大スケール領域１５６（図８Ｂ）内の範囲、すなわち、識別番号が１７６〜３７６の範囲にて２倍の拡大スケール（シングルハッチングを付したエリア）である。なお、残余の範囲にて非表示対象（塗り潰しがあるエリア）になっている。
【００７１】
バーグラフ１７３は、図８Ｃの表示形態におけるスケールを示す。このグラフが示す全範囲のうち、識別番号が１〜１７５、３７６〜１００１の範囲にて標準スケールである。また、拡大スケール領域１６６（図８Ｃ）内の範囲、すなわち、識別番号が２２６〜３２６の範囲にて４倍の拡大スケール（ダブルハッチングを付したエリア）である。なお、残余の範囲にて非表示対象（塗り潰しがあるエリア）になっている。
【００７２】
ところで、図８Ｂ及び図８Ｃにおいて、周辺位置１５２、１６２にある幅広のスライダ１５０、１６０を左右方向に移動させることで、２倍及び４倍に拡大されたスケールに従って指定範囲を変更できる。換言すれば、作業者にとって指定範囲の微調整が容易になる。
【００７３】
また、トラックバー作成部７４は、画像情報６０の表示可能数（図５例では、５０個の固定値）に応じてスライダ１４０、１５０、１６０の幅を変化させた表示用データを作成してもよい。作業者は、幅の大きさを手掛かりにして、識別番号の指定範囲を一見して把握できる。これに関連して、トラックバー作成部７４は、スライダ１３０等の幅を変化させる際に、閾値を下回らないように調整してもよい。これにより、スライダ１３０等を掴み難くなるのを防止できる。
【００７４】
また、トラックバー作成部７４は、周辺位置１５２、１６２での表示形態を残余の位置での表示形態と異ならせた表示用データを作成してもよい。この表示の具体例として、周辺位置１５２、１６２を強調する表示形態（明度・彩度を相対的に高くする、注意を喚起する視覚効果を付与する等）が挙げられる。これにより、作業者は、表示形態の差異を手掛かりにして、スケールの変化を一見して把握できる。
【００７５】
また、制御部５０は、別の操作を受け付けた場合、拡大スケールでの表示を終了させ、図７Ｂに示す表示形態に戻すように制御してもよい。「別の操作」として、例えば、スライダ１５０（１６０）を周辺位置１５２（１６２）から離して移動させる操作、カーソル１１２をウィンドウＷ２の外側に移動させる操作等が挙げられる。
【００７６】
図３のステップＳ７に戻って、特定の入力操作（スライダ１３０の長押し操作）がなかった場合（ステップＳ７：ＮＯ）、ステップＳ９において、制御部５０は、選択を終了する旨の操作があったか否かを判定する。例えば、消去マーク１２６（図７Ａ〜図８Ｃ）のクリック操作を受け付けたか否かにより判定される。操作がなかった場合（ステップＳ９：ＮＯ）、ステップＳ６に戻って、制御部５０はステップＳ６〜Ｓ９の動作を順次繰り返す。
【００７７】
一方、操作があった場合（ステップＳ９：ＹＥＳ）、次のステップ（Ｓ１０）に進む。このとき、消去マーク１２６（図７Ａ等）のクリック操作に応じて、ウィンドウＷ２が非表示にされると共に、ウィンドウＷ１の表示状態が「アクティブ」に戻る。
【００７８】
ステップＳ１０において、選択範囲決定部７０は、スライダ１３０等の指示位置から識別番号の選択範囲を決定する。具体的には、選択範囲決定部７０は、スライダ１３０等の画素数相当の位置及び図４Ｂに示す対応関係に基づいて、識別番号の範囲（最小値及び最大値）を算出する。図８Ａ〜図８Ｃ例ではいずれも、識別番号が２５１から３００までの範囲が選択範囲として決定される。
【００７９】
その後、ステップＳ３に戻って、作業端末１８は、ステップＳ１０で決定された選択範囲内の識別番号が付与された複数の画像情報６０を、表示装置３２にプレビュー表示させる。ここで、プレビュー欄１０２（図５）に表示される対象は、２５１から３００までの識別番号が付与された画像情報６０である。
【００８０】
その後、図３のステップＳ４に戻って、プレビュー表示を継続しない場合（ステップＳ４：ＮＯ）、画像表示システム３８は、プレビュー表示に関する動作を終了する。
【００８１】
［この実施形態の効果］
以上のように、画像表示制御装置としての作業端末１８は、識別番号が付与された複数の画像情報６０（画像情報ＤＢ３０）の中から２つ以上の画像情報６０を選択し、表示装置３２にプレビュー表示させる。
【００８２】
そして、作業端末１８は、固定長であるバー部１２８、及び、バー部１２８の延在方向に沿って移動自在なスライダ１３０（１４０、１５０、１６０）を含むトラックバー１２２（ａ〜ｃ）の表示用データを作成するトラックバー作成部７４と、標準スケールに従って識別番号をそれぞれ割り当てる識別番号割当部６８と、表示用データに基づき表示されるトラックバー１２２（ａ〜ｃ）のスライダ１３０（１４０、１５０、１６０）の指示位置から識別番号の選択範囲を決定する選択範囲決定部７０を備え、識別番号割当部６８は、スライダ１５０、１６０の周辺位置１５２、１６２で、標準スケールに代わって、該標準スケールよりも大きい拡大スケールに従って識別番号をそれぞれ割り当てる。
【００８３】
また、画像表示システム３８は、上記した作業端末１８の他、複数の画像情報６０を記憶可能なストレージ装置２８と、選択された２つ以上の画像情報６０をプレビュー表示する表示装置３２とを備える。
【００８４】
このように構成したので、標準スケール領域１３８にて画像情報の全体数を把握しつつ、拡大スケール領域１５６、１６６にて現在の探索位置を細かく調整可能である。これにより、探索対象である画像情報６０が膨大な数であっても、多大な時間を費やすことなく所望の画像情報６０を効率よく選択できる。
【００８５】
［補足］
なお、この発明は、上述した実施形態に限定されるものではなく、この発明の主旨を逸脱しない範囲で自由に変更できることは勿論である。
【００８６】
例えば、トラックバー１２２（ａ〜ｃ）の形態は図７Ａ等の例に限られず、識別番号の範囲（下限値及び上限値）を指示可能であれば構成は問わない。
【００８７】
また、画像情報６０の用途は、印刷物２２の生産に限られず、電子商取引に供される各種制作物（電子データ、ストリーミングによる配信サービス等）の生産・閲覧等であってもよい。
【符号の説明】
【００８８】
１０…印刷物生産システム                  １６…サーバ装置
１８…作業端末                            ２２…印刷物
２４…印刷装置                            ２８…ストレージ装置
３０…画像情報ＤＢ                        ３２…表示装置
３８…画像表示システム                    ５０…制御部
５４…入力部                              ５８…メモリ
６０…画像情報                            ６８…識別番号割当部
７０…選択範囲決定部                      ７４…トラックバー作成部
１００…プレビュー画面                    １０２…プレビュー欄
１２０…選択画面                          １２２（ａ〜ｃ）…トラックバー
１３０、１４０、１５０、１６０…スライダ  １３８…標準スケール領域
１５２、１６２…周辺位置                  １５６、１６６…拡大スケール領域
【図１】
0005893594.tif 000002
【図２】
0005893594.tif 000003
【図３】
0005893594.tif 000004
【図４】
0005893594.tif 000005
【図５】
0005893594.tif 000006
【図６】
0005893594.tif 000007
【図７】
0005893594.tif 000008
【図８】
0005893594.tif 000009
【図９】
0005893594.tif 000010